(57)【要約】【課題】発色剤の溶解性及び液安定性に優れると共に、均一なマイクロカプセルを形成できる発色剤用の溶剤組成物を提供する。【解決手段】（Ａ）成分：下記一般式（Ｉ）で表される芳香族化合物を含有することよりなる。［化１］2011162587.tif 000010［式（Ｉ）中、Ｒ１はＯＣＨ３又はＣＨ２ＯＣＨ３を示し、Ｒ２はＣＨ３、ＯＣＨ３又はＣＨ２ＯＣＨ３を示す。］【選択図】なし【特許請求の範囲】
【請求項１】
（Ａ）成分：下記一般式（Ｉ）で表される芳香族化合物を含有することを特徴とする、発色剤用の溶剤組成物。
【化１】
2011162587.tif 000009
［式（Ｉ）中、Ｒ１はＯＣＨ３又はＣＨ２ＯＣＨ３を示し、Ｒ２はＣＨ３、ＯＣＨ３又はＣＨ２ＯＣＨ３を示す。］
【請求項２】
さらに、（Ｂ）成分：下記一般式（ＩＩ）で表される脂肪酸エステルを含有することを特徴とする、請求項１に記載の発色剤用の溶剤組成物。
Ｒ３ＣＯＯＲ４  ・・・・（ＩＩ）
［式（ＩＩ）中、Ｒ３は炭素数が７〜１１のアルキル基を示し、Ｒ４は炭素数が１〜８のアルキル基を示す。］
【請求項３】
請求項１又は２に記載の発色剤用の溶剤組成物と、３，３−ビス（ｐ−ジメチルアミノフェニル）−６−ジメチルアミノフタリドとを内包するマイクロカプセルが親水性の分散媒に分散されていることを特徴とする、マイクロカプセル分散液。
【発明の詳細な説明】
【技術分野】
【０００１】
本発明は、発色剤用の溶剤組成物及びマイクロカプセル分散液に関する。
【背景技術】
【０００２】
感圧性複写紙は、発色剤を溶剤組成物に溶解した発色剤溶液をマイクロカプセル化し、得られたマイクロカプセルを含有する塗層（発色剤層）を設けた上用紙と、前記発色剤と反応して発色する顕色剤を含有する塗層（顕色剤層）を設けた下用紙とで構成されている。この上用紙と下用紙とを互いに重ね合わせて適切な圧力で印字すると、上用紙のマイクロカプセルのカプセル壁が破壊され、発色剤溶液が流出して下用紙の顕色剤が着色し、加圧印字と同時に複写像が得られる。
多数枚の複写を行なう場合には、表面に前記顕色剤層、裏面に発色剤層を塗布した中用紙を、上用紙と下用紙の間に必要な枚数だけ挿入して使用される。また、発色剤層と顕色剤層を積層又は混合層として、紙の同一表面上に設けた自己発色型や、発色剤又は顕色剤を内包するマイクロカプセルを含む塗層を紙の裏面に設けた普通紙転写型も感圧性複写紙の一形態として知られている。
【０００３】
発色剤層に含有されるマイクロカプセルとしては、ポリウレタンウレア樹脂でカプセル壁を形成したものが知られている。このマイクロカプセルは、次のようにして調製される。まず、発色剤と多価イソシアネート等を溶剤組成物に溶解し、この溶液を水等の親水性液体中に乳化分散した後、乳化分散液中に多価アミンを添加し、発色剤溶液をポリウレタンウレア膜で皮膜することによって調製される。
【０００４】
発色剤としては、トリフェニルメタンフタリド系化合物、フルオラン系化合物、フェノチアジン系化合物、インドリルフタリド系化合物、リューコオーラミン系化合物、ローダミンラクタム系化合物、トリフェニルメタン系化合物、スピロピラン系化合物等が知られている。これらのうち、トリフェニルメタンフタリド系化合物であるクリスタルバイオレットラクトン（化合物名：３，３−ビス（ｐ−ジメチルアミノフェニル）−６−ジメチルアミノフタリド、以下ＣＶＬと略す）が、ブルー発色用の発色剤として、一般的に使用されている。
【０００５】
溶剤組成物としては、フェニルキシリルエタンが一般的に使用されている。フェニルキシリルエタンは低温流動性及び発色剤の溶解性が得られやすく、比較的安価であるが、環境に対して好ましくない化学構造も含まれており、より環境に適合した化合物の使用が望まれている。加えて、発色性向上の観点から、フェニルキシリルエタンよりも発色剤の溶解性に優れる溶剤組成物が求められている。
【０００６】
こうした問題に対し、例えば、植物油１００重量部に対しベンゾイル系化合物を５〜４０重量部含有する記録材料の溶剤が提案されている（例えば、特許文献１）。また、例えば、脂肪酸エステルと、カルボニル基を有する環状化合物とを特定の割合とした溶剤組成物が提案されている（例えば、特許文献２）。
【先行技術文献】
【特許文献】
【０００７】
【特許文献１】特開平８−１７５００３号公報
【特許文献２】特開２００８−１７９６７２号公報
【発明の概要】
【発明が解決しようとする課題】
【０００８】
しかしながら、特許文献１の発明では、発色剤を溶解する能力が必ずしも十分とはいえず、特に発色剤として多用されているＣＶＬの溶解性が低いという問題があった。特許文献２の発明は、ＣＶＬの溶解性に優れるものの、均一なマイクロカプセルを形成しにくいという問題があった。加えて、特許文献２の発明は、発色剤溶液の液安定性が十分ではなかった。
本発明は前記事情に鑑みてなされたもので、発色剤の溶解性及び液安定性に優れると共に、均一なマイクロカプセルを形成できる発色剤用の溶剤組成物を目的とする。
【課題を解決するための手段】
【０００９】
本発明者らは鋭意検討した結果、溶剤組成物の親水性が高く水への溶解性が高いと、界面張力が減少し、マイクロカプセルを調製する際に乳化分散が不十分になり、均一なマイクロカプセルが形成しにくくなるとの知見を得た。そして、この知見に基づき検討した結果、特定の芳香族化合物を溶剤組成物に含有させることで、ＣＶＬの溶解量を増大でき、液安定性が向上すると共に、均一なマイクロカプセルの形成ができることを見出し、本発明に至った。
【００１０】
即ち、本発明の発色剤用の溶剤組成物は、（Ａ）成分：下記一般式（Ｉ）で表される芳香族化合物を含有することを特徴とする。
【００１１】
【化１】
2011162587.tif 000002
［式（Ｉ）中、Ｒ１はＯＣＨ３又はＣＨ２ＯＣＨ３を示し、Ｒ２はＣＨ３、ＯＣＨ３又はＣＨ２ＯＣＨ３を示す。］
【００１２】
さらに、（Ｂ）成分：下記一般式（ＩＩ）で表される脂肪酸エステルを含有することが好ましい。
Ｒ３ＣＯＯＲ４  ・・・・（ＩＩ）
［式（ＩＩ）中、Ｒ３は炭素数が７〜１１のアルキル基を示し、Ｒ４は炭素数が１〜８のアルキル基を示す。］
【００１３】
本発明のマイクロカプセル分散液は、前記の本発明の発色剤用の溶剤組成物と、３，３−ビス（ｐ−ジメチルアミノフェニル）−６−ジメチルアミノフタリドとを内包するマイクロカプセルが親水性の分散媒に分散されていることを特徴とする。
【発明の効果】
【００１４】
本発明によれば、発色剤の溶解性及び液安定性に優れると共に、均一なマイクロカプセルを形成できる。
【発明を実施するための形態】
【００１５】
（マイクロカプセル分散液）
本発明のマイクロカプセル分散液は、発色剤溶液を内包するマイクロカプセルが分散媒に分散されたものである。
【００１６】
［発色剤溶液］
本発明の発色剤溶液は、（Ａ）成分を含有する溶剤組成物に、発色剤を溶解したものである。
【００１７】
＜溶剤組成物＞
溶剤組成物は、（Ａ）成分を含有するものである。（Ａ）成分を含有することにより、溶剤組成物は、ＣＶＬの溶解性、液安定性に優れると共に、水への溶解性が低くマイクロカプセルの形成が容易となる。
≪（Ａ）成分≫
（Ａ）成分は、下記一般式（Ｉ）で表される芳香族化合物である。
【００１８】
【化２】
2011162587.tif 000003
【００１９】
式（Ｉ）中、Ｒ１はＯＣＨ３又はＣＨ２ＯＣＨ３であり、中でもＣＨ２ＯＣＨ３が好ましい。Ｒ１がＣＨ２ＯＣＨ３であれば、ＣＶＬの溶解性、液安定性に優れ、水への溶解性が低くマイクロカプセルの形成が容易になるという（Ａ）成分の機能を維持しながら、より低温流動性に優れ、溶剤としての使用に、より適するものとなる。
【００２０】
式（Ｉ）中、Ｒ２はＣＨ３、ＯＣＨ３又はＣＨ２ＯＣＨ３であり、中でもＣＨ３又はＣＨ２ＯＣＨ３が好ましく、ＣＨ２ＯＣＨ３がより好ましい。Ｒ２がＣＨ３又はＣＨ２ＯＣＨ３であれば、上述の（Ａ）成分の機能を維持すると共に、より低温流動性に優れるため、溶剤としての使用に、より適するものとなり、ＣＨ２ＯＣＨ３であるとさらに低温流動性に優れるものとなる。
また、Ｒ２は、ｏ−位、ｍ−位、ｐ−位のいずれであってもよく、入手の容易性からｐ−位が好ましい。
【００２１】
Ｒ１とＲ２との組み合わせとしては、Ｒ１がＣＨ２ＯＣＨ３、Ｒ２がＣＨ３であるもの、Ｒ１、Ｒ２が共にＣＨ２ＯＣＨ３であるものが好ましい。このような組み合わせのＲ１、Ｒ２であれば、上述の（Ａ）成分の機能を維持すると共に、より低温流動性に優れるため、溶剤としての使用に、より適するものとなる。中でも、Ｒ１、Ｒ２が共にＣＨ２ＯＣＨ３であるものが、さらに低温流動性に優れるため特に好ましい。
【００２２】
（Ａ）成分としては、下記一般式（１）で表されるｐ−キシリレングリコールジメチルエーテル、下記一般式（２）で表されるα−メトキシ−ｐ−キシレン、下記一般式（３）で表される１，２−ジメトキシベンゼン、下記一般式（４）で表される１，４−ジメトキシベンゼン、下記一般式（５）で表される１，３−ジメトキシベンゼン等が挙げられる。中でも、ＣＶＬの溶解性に優れ、水への溶解性が低く、かつ５℃付近でも液体であるという点でｐ−キシリレングリコールジメチルエーテル（商品名：ＰＸＤＭ、イハラニッケイ化学工業社製）が好ましい。
（Ａ）成分は、１種単独又は２種以上を適宜組み合わせて用いることができる。
【００２３】
【化３】
2011162587.tif 000004
【００２４】
溶剤組成物中の（Ａ）成分の含有量は、発色剤の種類等を勘案して決定でき、例えば、５質量％以上が好ましく、１５質量％以上がより好ましく、４０質量％以上がさらに好ましく、９０質量％以上が発色剤の溶解性、溶剤組成物の液安定性に優れ、マイクロカプセルのさらなる均一化が図れる点で特に好ましい。溶剤組成物中の（Ａ）成分の含有量が５質量％未満であると、発色剤の溶解性、溶剤組成物の液安定性の向上、マイクロカプセルの均一化が図れない恐れがある。溶剤組成物中の（Ａ）成分の含有量が多いほど、発色剤の溶解性、溶剤組成物の液安定性に優れ、マイクロカプセルのさらなる均一化が図れる。このため、溶剤組成物中の（Ａ）成分の含有量は１００質量％でもよいが、溶剤としての実用上の機能を確保するために必要な含有量としては、溶剤組成物中に好ましくは１５〜７０質量％、より好ましくは４０〜６０質量％である。
【００２５】
≪（Ｂ）成分≫
溶剤組成物は、（Ａ）成分に加え、（Ｂ）成分：下記一般式（ＩＩ）で表される脂肪酸エスエルを含有することができる。（Ｂ）成分は天然油脂の誘導体として合成されるものであり、生分解性に優れるため、環境への適合性に優れる。このような（Ｂ）成分を含有することで、（Ａ）成分の含有量を低減し、溶剤組成物の環境負荷を低減できる。
【００２６】
Ｒ３ＣＯＯＲ４  ・・・・（ＩＩ）
【００２７】
式（ＩＩ）中、Ｒ３は炭素数が７〜１１のアルキル基である。該アルキル基は直鎖でもよく分岐していてもよい。好ましくは直鎖アルキル基である。Ｒ３の炭素数が７以上であると、（Ｂ）成分の臭気が軽減される。該炭素数が１１以下であると、（Ａ）成分との相溶性が良好であり、溶剤組成物の液安定性が良好である。臭気がより抑えられる点では、Ｒ３の炭素数は９〜１１が好ましく、１１がより好ましい。
【００２８】
Ｒ３ＣＯＯ−基の具体例としては、カプリル酸から１個の水素原子を除いた一価基（Ｒ３の炭素数は７）、カプリン酸から１個の水素原子を除いた一価基（Ｒ３の炭素数は９）、ラウリン酸から１個の水素原子を除いた一価基（Ｒ３の炭素数は１１）等が挙げられる。
式（ＩＩ）中、Ｒ４は炭素数が１〜８のアルキル基である。該アルキル基は直鎖でもよく分岐していてもよい。Ｒ４の炭素数が１以上であると、低温流動性が良好である。Ｒ４の炭素数が８以下であると、（Ａ）成分との相溶性が良好であり、溶剤組成物の液安定性が良好である。従って、Ｒ４の炭素数が１〜８であると、溶剤組成物の液安定性が良好であり、該液安定性の点でＲ４の炭素数は１〜４が好ましく、１がより好ましい。
Ｒ４の具体例としては、メチル基、エチル基、イソプロピル基、ｎ−プロピル基、イソプロピル基、ブチル基、ペンチル基、ヘキシル基、ヘプチル基、オクチル基、２−エチルヘキシル基等が挙げられる。
【００２９】
このような（Ｂ）成分としては、例えば、カプリル酸メチルエステル、カプリル酸エチルエステル、カプリル酸イソプロピルエステル、カプリル酸ｎ−プロピルエステル、カプリル酸イソブチルエステル、カプリル酸ｎ−ブチルエステル、カプリル酸ヘキシルエステル、カプリル酸オクチルエステル、カプリル酸２−エチルヘキシル、カプリン酸メチルエステル、カプリン酸エチルエステル、カプリン酸イソプロピルエステル、カプリン酸ｎ−プロピルエステル、カプリン酸イソブチルエステル、カプリン酸ｎ−ブチルエステル、カプリン酸ヘキシルエステル、カプリン酸オクチルエステル、カプリン酸２−エチルヘキシル、ラウリン酸メチルエステル、ラウリン酸エチルエステル、ラウリン酸イソプロピルエステル、ラウリン酸ｎ−プロピルエステル、ラウリン酸イソブチルエステル、ラウリン酸ｎ−ブチルエステル、ラウリン酸ヘキシルエステル、ラウリン酸オクチルエステル、ラウリン酸２−エチルヘキシル、ヤシ油脂肪酸メチルエステルからＲ３ＣＯＯ−基の炭素数８〜１２のものを得た混合脂肪酸メチルエステル、パーム核油脂肪酸メチルエステルからＲ３ＣＯＯ−基の炭素数８〜１２のものを得た混合脂肪酸メチルエステル、ヤシ油脂肪酸２−エチルヘキシルエステルからＲ３ＣＯＯ−基の炭素数８〜１２のものを得た混合脂肪酸２−エチルヘキシルエステル、パーム核油脂肪酸２−エチルヘキシルエステルからＲ３ＣＯＯ−基の炭素数８〜１２のものを得た混合脂肪酸２−エチルヘキシルエステル等が挙げられる。臭気を低減できる点では、カプリル酸２−エチルヘキシル（商品名：パステル２Ｈ−０８、ライオン株式会社製）、カプリン酸２−エチルヘキシル、ラウリン酸２−エチルヘキシル（商品名：パステル２Ｈ−１２、ライオン株式会社製）が好ましい。液安定性と溶剤組成物の発色剤の溶解性に優れる点では、ラウリン酸メチルエステル（商品名：パステルＭ−１２、ライオン株式会社製）、ラウリン酸エチルエステル、ラウリン酸イソブチルエステルが好ましく、ラウリン酸メチルエステルがより好ましい。
本発明の溶剤組成物において、（Ｂ）成分は１種単独又は２種以上を適宜組み合わせて用いることができる。
【００３０】
溶剤組成物中の（Ａ）成分と（Ｂ）成分との合計量は、６０〜１００質量％が好ましく、８０〜１００質量％がより好ましく、９０〜１００質量％がさらに好ましい。
（Ｂ）成分は（Ａ）成分によるＣＶＬの溶解性、溶剤組成物の液安定性に優れ、水への溶解性が低くマイクロカプセルの形成が容易となる機能を保ちつつ（Ａ）成分を希釈して（Ａ）成分の含有量を低減できる。溶剤組成物が（Ｂ）成分を含有する場合、（Ａ）成分と（Ｂ）成分との合計１００質量％に対する（Ｂ）成分の含有量は、３０〜８０質量％が好ましく、４０〜７５質量％がより好ましく、４５〜６５質量％がさらに好ましい。３０質量％以上であると、（Ｂ）成分の添加による（Ａ）成分の希釈、低減の効果が十分に得られ、８０質量％以下であれば（Ａ）成分の配合量を十分に確保できると共に、（Ｂ）成分により臭気が悪化するおそれを低減できる。
【００３１】
≪任意成分≫
溶剤組成物は、本発明の効果を阻害しない範囲で、（Ａ）成分及び（Ｂ）成分以外に、任意成分として他の成分を含有することができる。
【００３２】
任意成分としては、例えば、フェニルキシリルエタン、ジイソプロピルナフタレン等、従来、発色剤用の溶剤として用いられているものが挙げられる。これらの溶剤を含有することで、溶剤組成物の低温流動性の向上が図れる。これらを配合する場合、溶剤組成物中における含有量は、添加効果を得るために１質量％以上が好ましく、不快臭を抑える点から４０質量％未満が好ましい。
溶剤組成物には、発色剤の溶解性を向上させるため、さらに他の溶剤を配合することができる。このような溶剤としては、例えば、γ−ブチロラクトン、プロピレンカーボネート、Ｎ−メチルピロリドン、イソホロン、二塩基酸エステル（コハク酸ジメチル、グルタル酸ジメチル、アジピン酸ジメチル及びそれらの混合物（商品名：ＤＢＥ（コハク酸ジメチル１５〜２５質量％、グルタル酸ジメチル５５〜６５質量％、アジピン酸ジメチル１０〜２５質量％）、インビスタジャパン株式会社製）等が挙げられ、中でも、プロピレンカーボネートが好ましい。プロピレンカーボネートを配合することで、発色剤の溶解性をより向上できる。これらの溶剤は、１種単独又は２種以上を適宜組み合わせて用いることができる。
これら溶剤を配合する場合、溶剤組成物中における含有量は、１〜２０質量％が好ましい。１質量％以上であれば、良好な添加効果を得られ、２０質量％以下であれば、マイクロカプセル形成時の乳化分散性に影響を与えず、安定してマイクロカプセルを形成できる。例えば、プロピレンカーボネートは、発色剤の溶解性に優れる一方、親水性が比較的高いため、含有量が多すぎるとマイクロカプセル形成時に発色剤溶液の界面張力が低下し、マイクロカプセルの粒子分布が広くなる等、マイクロカプセル分散液の品質低下を招きやすい。従って、溶媒組成物中におけるプロピレンカーボネートの含有量は、発色剤の溶解性と、マイクロカプセル分散液の品質とのバランスを鑑みて決定することができ、好ましくは１〜２０質量％、より好ましくは１〜１５質量％とされる。
【００３３】
溶剤組成物には、環境に適合した化合物の使用を推進するという点で、生分解性に優れる植物油、中鎖脂肪酸トリグリセリド、ポリオールエステル、脂肪酸エステル等を溶剤として含有させてもよい。このような化合物としては、例えば、菜種油、大豆油、パーム油、パーム核油、ヤシ油、カプリル酸トリグリセリド、カプリン酸トリグリセリド、ラウリン酸トリグリセリド、２−エチルヘキサン酸トリグリセリド、カプリル酸トリメチロールプロパンエステル、カプリン酸トリメチロールプロパンエステル、ラウリン酸トリメチロールプロパンエステル、ミリスチン酸２−エチルヘキシル、パルミチン酸２−エチルヘキシル、ステアリン酸２−エチルヘキシル、オレイン酸２−エチルヘキシル、リノール酸２−エチルヘキシル、リノレン酸２−エチルヘキシル、ミリスチン酸イソプロピル、パルミチン酸ヘキシル、パルミチン酸ブチル、ステアリン酸ヘキシル、ステアリン酸ブチル、オレイン酸ヘキシル、オレイン酸ブチル、オレイン酸イソプロピル、オレイン酸エチル、オレイン酸メチル、リノール酸ヘキシル、リノール酸ブチル、リノール酸イソプロピル、リノール酸エチル、リノール酸メチル、リノレン酸ヘキシル、リノレン酸ブチル、リノレン酸イソプロピル、リノレン酸エチル、リノレン酸メチル等が挙げられる。これらを溶剤組成物に配合する場合、溶剤組成物中における含有量は、１〜２０質量％が好ましい。１質量％以上であれば、良好な添加効果を得られ、２０質量％以下であれば、マイクロカプセル形成時の乳化分散性に影響を与えず、安定してマイクロカプセルを形成できる。これらは、１種単独又は２種以上を適宜組み合わせて用いることができる。
【００３４】
溶剤組成物に上述の任意成分の溶剤を配合する場合、溶剤組成物の液安定性を向上させるために、グリコールエーテル系化合物を配合してもよい。通常、本発明の溶剤組成物に発色剤を溶解した発色剤溶液は、ポリウレタンウレア樹脂等によるカプセル化が行われる。このため、グリコールエーテル系化合物は、ポリウレタンウレア樹脂原料のイソシアネートとの反応を起こりにくくするように、水酸基が封鎖されたものが好ましい。このようなグリコールエーテル系化合物としては、例えば、プロピレングリコールメチルエーテルアセテート（商品名：ダワノールＰＭＡ、ダウ・ケミカル社製）、ジプロピレングリコールメチルエーテルアセテート（商品名：ダワノールＤＰＭＡ、ダウ・ケミカル社製）、プロピレングリコールジメチルエーテル（商品名：ダワノールＤＭＭ、ダウ・ケミカル社製）、プロピレングリコールジアセテート（商品名：ダワノールＰＧＤＡ、ダウ・ケミカル社製）等が挙げられる。これらを配合する場合、溶剤組成物中における含有量は、１〜２０質量％が好ましい。１質量％以上であれば、良好な添加効果を得られ、２０質量％以下であれば、マイクロカプセル形成時の乳化分散性に影響を与えず、安定してマイクロカプセルを形成できる。これらは、１種単独又は２種以上を適宜組み合わせて用いることができる。
【００３５】
溶剤組成物は、酸化防止剤、防腐剤、防錆剤、香料、流動点降下剤等の添加剤を適宜配合することができる。
【００３６】
流動点降下剤としては、特に限定されず、例えば、特開２００４−１４９７０５号公報に記載のアルキルメタクリレート系ポリマー等が挙げられる。好ましくは、脂肪酸エステルに対する低温流動性改善の効果が高い点で、例えば、三洋化成工業株式会社製のアクルーブシリーズが挙げられる。流動点降下剤を配合する場合、溶剤組成物中における含有量は、０．０１〜３質量％が好ましく、０．０１〜１質量％がより好ましい。０．０１〜３質量％であれば、低温流動性を改善でき、０．０１〜１質量％であれば、溶剤組成物の粘度の増加を抑制できる。
【００３７】
香料としては、例えば、リナロール、ゲラニオール、シトロネロール、ロジノール、ネロール、ボルネオール、メントール、β−フェニルエチルアルコール、エチルマルトール、エチルバニリン、ダマセノン、ダマスコン、イソダマスコン、α−ダイナスコン、ヨノン、メチルヨノン、リモネン、リナリルアセテート、ゲラニルアセテート、ネリルアセテート、ゲラニルプロピオネート、ローズ系調合香料あるいはローズオイル、ハッカハクオイル、カモミルオイル、ライム系調合香料あるいはライムオイル、オレンジ系調合香料あるいはオレンジオイル、ラベンダー系調合香料あるいはラベンダーオイル、ジャスミン系調合香料あるいはジャスミンオイル、ライラック系調合香料あるいはライラックオイル等が挙げられる。これらは、１種単独又は２種以上を適宜組み合わせて用いることができる。
【００３８】
前記香料中、（Ｂ）成分由来のわずかな臭気をマスキングする効果が得られる香料としては、エチルマルトール、リナロール、ゲラニオール、β−フェニルエチルアルコール、エチルマルトール、エチルバニリン、ハッカハクオイル、ローズ系調合香料あるいはローズオイル、オレンジ系調合香料あるいはオレンジオイル、ラベンダー系調合香料あるいはラベンダーオイル等が挙げられる。
【００３９】
また、前記香料中、本発明の溶剤組成物に配合した際に、液安定性に優れる香料としては、エチルマルトール、リナロール、ローズ系調合香料あるいはローズオイル、オレンジ系調合香料あるいはオレンジオイル等が挙げられる。
【００４０】
溶剤組成物中における香料の含有量は、０．０５〜１質量％が好ましく、０．１〜０．６質量％がより好ましい。０．０５〜１質量％以上であれば、（Ｂ）成分由来の臭気のマスキング効果が十分であり、０．１〜０．６質量％であれば、溶剤組成物の液安定性が向上する。
【００４１】
＜発色剤＞
発色剤は、用途や目的に応じて適宜選択することができる。例えば、マイクロカプセル分散液を感圧性複写紙の発色剤層に用いる場合、発色剤は、一般に発色剤層に用いられている発色剤を用いることができ、例えば、ＣＶＬ等のトリフェニルメタンフタリド系化合物、フルオラン系化合物、フェノチアジン系化合物、インドリルフタリド系化合物、リューコオーラミン系化合物、ローダミンラクタム系化合物、トリフェニルメタン系化合物、スピロピラン系化合物が挙げられる。中でも、ＣＶＬは、従来の脂肪酸エステル系溶剤への溶解度が低いことから、発色剤をＣＶＬとする場合に、本発明の効果が顕著に現れる。
【００４２】
発色剤溶液中の発色剤の含有量は、発色剤溶液の用途、発色剤の種類等を勘案して決定でき、例えば、ＣＶＬの場合、好ましくは５〜２０質量％、より好ましくは７〜１５質量％とされる。５質量％以上であれば、良好な発色が得られ、２０質量％以下であれば濃度が均一な発色剤溶液を得られる。
【００４３】
［マイクロカプセル］
本発明のマイクロカプセルは、発色剤溶液を芯材とし、壁材で内包したものである。
マイクロカプセルの平均粒径は、例えば、２〜１０μｍが好ましく、４〜８μｍがより好ましい。マイクロカプセルの平均粒径が２μｍ未満であると、発色剤溶液を感圧性複写紙の発色剤層に用いた場合、カプセル壁が破壊されにくく記録時の発色性が低下するおそれがあり、平均粒径が１０μｍ超であると、感圧性複写紙の保存時、取り扱い時において、容易にカプセル壁が破壊され、発色汚れの原因となりやすい。
感圧性複写紙等において、マイクロカプセルの粒径の均一性は品質上の重要な因子である。例えば、感圧性複写紙では、マイクロカプセルを複写紙の裏面に塗布しているが、このマイクロカプセルの粒径が不均一で粒径の大きいカプセルが多く存在する場合には、発色汚れの原因となる。一方、平均粒径よりも極端に小さいカプセルが存在すると、記録時の発色性が悪くなるという問題がある。このため、マイクロカプセルの粒径分布は、分布巾で２．０以下が好ましく、１．８以下がより好ましい。２．０以下であれば、マクロカプセル分散液の品質の安定化が図れる。
なお、平均粒径（体積５０％平均粒径）及び粒径分布は、粒度分布測定装置（コールターマルチサイザー、コールター社製）により測定される値である。
【００４４】
マイクロカプセルにおけるカプセル壁／芯材で表される質量比は、例えば、５／９５〜９５／５が好ましく、１０／９０〜３０／７０がより好ましい。５／９５以上であれば、カプセル壁に適度な強度を付与でき、９５／５以下であれば、十分量の発色剤を内包させることができる。
【００４５】
＜壁材＞
壁材としては、従来、発色剤を内包するマイクロカプセルの壁材として用いられている水不溶性又は油不溶性のポリマーを用いることができる。該ポリマーとしては、ポリウレタンウレア樹脂、メラミン・ホルムアルデヒド樹脂、ゼラチン、ゼラチン−アラビアゴム等が挙げられ、中でもポリウレタンウレア樹脂が好ましい。
【００４６】
ポリウレタンウレア樹脂は、多価イソシアネートと、多価ヒドロキシ化合物及び多価アミンから選択される少なくとも１種との重合物である。
多価イソシアネートとしては、例えば、ｍ−フェニレンジイソシアネート、ｐ−フェニレンジイソシアネート、２，６−トリレンジイソシアネート、２，４−トリレンジイソシアネート、ナフタレン−１，４−ジイソシアネート、ジフェニルメタン−４，４’−ジイソシアネート、３，３’−ジメチルジフェニルメタン−４，４’−ジイソシアネート、キシリレン−１，３−ジイソシアネート、４，４’−ジフェニルプロパンジイソシアネート、トリメチレンジイソシアネート、へキサメチレンジイソシアネート、プロピレン−１，２−ジイソシアネート、ブチレン−１，２−ジイソシアネート、エチリジンジイソシアネート、シクロヘキシレン−１，２−ジイソシアネート、シクロヘキシレン−１，４−ジイソシアネート、イソホロンジイソシアネート、ｐ−フェニレンジイソチオシアネート、キシリレン−１，４−ジイソチオシアネート、エチリジンジイソチオシアネート等のジイソシアネート又はジイソチオシアネート、４，４’，４”−トリフェニルメタントリイソシアネート、トルエン−２，４，６−トリイソシアネート、ヘキサメチレンジイソシアネートの３量体等のトリイソシアネート、ポリメチレンポリフェニルイソシアネート、４，４’−ジメチルジフェニルメタン−２，２’，５，５’−テトライソシアネート等の多価イソシアネート、及びこれらの多価イソシアネートを多価アミン、多価カルボン酸、多価チオール、多価ヒドロキシ化合物、エポキシ化合物等の親水性基を有する化合物に付加させたものが挙げられる。
また、これらの多価イソシアネートは、所望するマイクロカプセルの品質に応じ、１種単独又は２種以上を適宜組み合わせて用いることができ、例えば、芳香族系と脂肪族系等を組み合わせて用いることができる。
【００４７】
多価ヒドロキシ化合物としては、例えば脂肪族又は芳香族の多価アルコール、ヒドロキシポリエステル、ヒドロキシポリアルキレンエーテル、多価アミンのアルキレンオキサイド付加物等を挙げることができる。
【００４８】
多価アミン化合物は、分子中に２個以上の−ＮＨ−基又は−ＮＨ２基を有する化合物である。この多価アミン化合物としては、エチレンジアミン、ジエチレントリアミン、トリエチレンテトラミン、テトラエチレンペンタミン、１，３−プロピレンジアミン、ヘキサメチレンジアミン、フェニレンジアミン、ジアミノナフタレン、キシリレンジアミン等が挙げられる。
【００４９】
メラミン・ホルムアルデヒド樹脂としては、メラミンとホルムアルデヒドから誘導されるメチロールメラミンからなるプレポリマーを加熱硬化して得られるものが挙げられる。
【００５０】
［分散媒］
分散媒は、親水性液体であり、マイクロカプセル分散液の用途、壁材の材質等を勘案して決定できる。ここで、分散媒として使用する親水性液体は溶解性パラメーターδ値（溶解性パラメーターδ値は、ヒルデブラント（Ｈｉｌｄｅｂｒａｎｄ）によって導入された正則溶液論により定義された値であり、２成分系溶液の溶解度の目安となる。例えば、塗料便覧３版、塗料便覧編集委員会編、日刊工業新聞社発行、３２２ページ表５．１に記載）が９〜２５のものであり、例えば、プロピレンカーボネート（δ値１０．４）等のアルキレンカーボネート、アセトン（δ値１０．０）、Ｎ−メチル−２−ピロリドン（δ値１０．１）、メタノール（δ値１４．５）、エタノール（δ値１２．７）、イソプロピルアルコール（δ値１１．５）、グリセリン（δ値１６．５）、水（δ値２３．４）等が挙げられる。中でも、入手が容易な点、及び安定なマイクロカプセルを形成しやすい点から、メタノール（δ値１４．５）、グリセリン（δ値１６．５）、水（δ値２３．４）が好ましく、特に水が好ましい。
【００５１】
（製造方法）
本発明のマイクロカプセル分散液は、溶剤組成物に発色剤を溶解して発色剤溶液を調製し、分散媒中でこの発色剤溶液を壁材で内包する（カプセル化）ことにより製造できる。カプセル化の方法は、壁材の種類等を勘案して決定でき、例えば、ゼラチン−アラビアゴムのポリイオンコンプレックスを利用したコアセルベーション法、分散媒と発色剤溶液との界面において不溶性皮膜を形成する界面重合法、メラミン−ホルムアルデヒド樹脂、尿素−ホルムアルデヒド樹脂等の初期縮合物を分散媒側から添加した後、樹脂化してカプセル化を行うｉｎ  ｓｉｔｕ重合法、その他のコアセルベーション法、界面重合法、ｉｎ  ｓｉｔｕ重合法、相分離法、外部重合法等が挙げられる。なお、壁材としてポリウレタンウレア樹脂を用いる場合、界面重合法によってカプセル化することが好ましい。
【００５２】
例えば、壁材をポリウレタンウレア樹脂とする場合、以下の方法によりマイクロカプセル分散液を製造できる。
まず、（Ａ）成分と、必要に応じ（Ｂ）成分及び／又は任意成分とを混合して溶剤組成物を調製する。溶剤組成物の調製において、各成分の混合は、公知の攪拌装置、混合装置を用いて行うことができる。得られた溶剤組成物に、任意の量の発色剤を溶解して、発色剤溶液を調製する。溶剤組成物に発色剤を溶解する際、その温度条件は８０〜１２０℃程度とされる。８０℃未満では発色剤が溶解しにくく、１２０℃超では溶剤組成物の成分が揮発したり変質するおそれがある。
【００５３】
次いで、多価イソシアネートと、必要に応じて添加される多価ヒドロキシ化合物等と、発色剤溶液とを分散媒に添加し、３０〜８０℃程度で乳化分散して乳化分散液を調製する。
例えば、分散媒としてポリビニルアルコールを用い、高温（８０℃以上）で乳化分散をした場合、乳化分散液が凝集する懸念がある。このため、乳化分散には、乳化分散機を使用することが好ましい。乳化分散機を用いることで、高温での乳化安定性を高め、かつマイクロカプセル分散液を感圧性複写紙等に用いた場合に、発色性、耐圧力性、耐摩擦性が向上し、印字発色濃度と汚れ特性のバランスが良好となる。
【００５４】
乳化分散機としては、例えば、ホモミキサーと称される乳化分散機が挙げられる。ホモミキサーには、バッチ式と、円筒状の容器内にローターとステーターを納め連続的に乳化分散を行う連続式がある。他の例としては、例えば、一定間隔で二面に挟まれた間隙部分に、分散媒（親水性液体）と、発色剤溶液及び多価イソシアネート（疎水性媒体）との混合液を通過させて乳化分散を行う装置が挙げられる。あるいは、円周方向に沿って複数個の透孔を設けた円筒部を有するステーターと、円周方向に沿って複数個の透孔を設けた円筒部を有するローターとを、ステーターの円筒部とローターの円筒部とが剪断作用を生じるために必要な一定間隔を有し、かつ同心的に位置するように設置した装置が挙げられる。また、軸線方向に移動可能なローターとステーターが半径方向外方に広がる同心円状で階段状の段差部を対向して有し、この段差部のお互いに対向する側が開いた凹部を放射状に有する装置が挙げられる。また、例えば、疎水性媒体及び親水性液体からなる被処理液を入れた撹拌容器内で撹拌体を回転させて、遠心力により該被処理液を膜状態で容器内壁に沿って旋回させ乳化分散をおこなう装置等が挙げられる。これらの中でも、疎水性媒体及び親水性液体からなる被処理液を入れた撹拌容器内で撹拌体を回転させて、遠心力により該被処理液を膜状態で容器内壁に沿って旋回させ乳化分散する装置が、マイクロカプセルの粒度分布の均一性が上がる点で好ましい。
【００５５】
この乳化分散液に多価アミンを添加し、７０〜９０℃で壁材を重合することで発色剤溶液の液滴をポリウレタンウレア樹脂でカプセル化する。こうして、マイクロカプセルが分散したマイクロカプセル分散液を得ることができる。
【００５６】
なお、工業的なマイクロカプセル分散液の製造においては、予め、発色剤と多価イソシアネートと溶剤組成物とを混合して発色剤混合液を調製し、この発色剤混合液を分散媒に添加し、乳化分散、カプセル化を行ってもよい。この際、発色剤混合液は、乳化分散までに長時間保存されることが想定される。従って、発色剤混合液は、好ましくは２時間以上、より好ましくは１２時間以上、安定であることが好ましい。
ここで、（Ａ）成分は、フェニルキシリルエタンに比較して吸水性が高い。そして、溶剤組成物に水が存在すると、発色剤混合液中の多価イソシアネートと水とが反応し、多価イソシアネートを不活性化するおそれがある。このため、発色剤混合液中の含水量を好ましくは０．０５質量％以下、より好ましくは０．０１質量％以下とする。
発色剤混合液中の含水量を低減させるため、例えばモレキュラーシーブス４Ａ（純正化学株式会社製）等の脱水剤を発色剤混合液又は溶剤組成物に添加して、脱水してもよい。脱水剤を添加することで、発色剤混合液又は溶剤組成物の含水量を０．１〜５０質量ｐｐｍ程度とすることができる。また、例えば、発色剤混合液又は溶剤組成物を、減圧留去、共沸減圧留去、真空浄油機等により、含水量を０．０１質量％以下に脱水してもよい。
【００５７】
上記のようにして製造されたマイクロカプセル分散液は、そのままの状態で、又はこのマイクロカプセル分散液にバインダー、カプセル保護剤等を添加して発色剤層形成用の塗布液とし、公知の方法によって支持体上に塗布、乾燥することにより感圧性複写紙の発色剤層を形成する。
【００５８】
バインダーとしては水溶性バインダー、ラテックス系バインダー等を用いることができ、カプセル保護剤としては、セルロース粉末、デンプン粒子、タルク等を用いることができる。
【００５９】
支持体としては、従来、感圧性複写紙の支持体として用いられる材質であれば特に限定されず、例えば、木材パルプから製紙された紙、この紙を表面処理した紙、プラスチック材料からの合成紙、プラスチックフィルム等が挙げられる。
支持体への塗布液の塗布量は、発色剤の種類や塗布液中の発色剤の含有量等を勘案して決定でき、例えば、発色剤が好ましくは０．０５〜０．３０ｇ／ｍ２、より好ましくは０．０８〜０．２０ｇ／ｍ２となる量とされる。
【００６０】
従来、発色剤用の溶剤組成物としては、フェニルキシリルエタンが汎用されてきた。しかしながら、フェニルキシリルエタンは、２環型の芳香族化合物であるが故、発色剤の溶解性が不十分であった。一方、プロピレンカーボネート等からなる親水性の溶剤組成物は、発色剤の溶解性に優れるものである。その一方で、親水性の溶剤組成物は、溶剤が分散媒へ溶解し、発色剤溶液の界面張力が低下する傾向にある。そして、小さい粒径の乳化粒子が容易に形成されるため、マイクロカプセルの粒径分布が広くなり、マイクロカプセル分散液の品質低下を招くこととなる。
本発明の溶剤組成物は、１環型の芳香族化合物である（Ａ）成分を含有するため、発色剤、特にＣＶＬの溶解性に優れる。加えて、（Ａ）成分は、官能基（（Ｉ）式中のＲ１及びＲ２）がメトキシ基を有する末端封鎖型であるため、カプセル化の際又は発色剤混合液の保存時に（Ａ）成分自体が多価イソシアネートと反応することを防止できる。さらに、（Ａ）成分は、親水基（ＯＨ基等）を有しないため、発色剤溶液の界面張力が維持され、均一な粒径のマイクロカプセルを安定的に形成できる。
【００６１】
本発明のマイクロカプセル分散液は、支持体の片面に発色剤層のみを有するいわゆる上用紙や、支持体の一方の面に顕色剤層、他の面に発色剤層を有するいわゆる中用紙、又は支持体の同一面に発色剤層と顕色剤層とを単層もしくは積層してなる自己発色性感圧性複写紙に利用できる。
【実施例】
【００６２】
以下に実施例を示して、本発明をさらに詳しく説明するが、本発明はこれら実施例に限定されるものではない。
【００６３】
（使用原料）
以下の実施例及び比較例において使用した試薬は下記の通りである。
＜（Ａ）成分＞
ｐ−キシリレングリコールジメチルエーテル（イハラニッケイ化学工業社製、商品名：ＰＸＤＭ）
α−メトキシ−ｐ−キシレン（イハラニッケイ化学工業社製、商品名：ＰＭＭＭ）
１，２−ジメトキシベンゼン（試薬特級、東京化成工業株式会社製）
１，３−ジメトキシベンゼン（試薬特級、東京化成工業株式会社製）
１，４−ジメトキシベンゼン（試薬特級、東京化成工業株式会社製）
【００６４】
＜（Ａ）成分の比較品＞
ｐ−キシレン（試薬特級、関東化学株式会社製）：下記一般式（６）で表される化合物
ベンジルアルコール（試薬特級、関東化学株式会社製）：下記一般式（７）で表される化合物
フェニルグリコール（商品名：フェニルグリコール、日本乳化剤株式会社製）：下記一般式（８）で表される化合物
【００６５】
【化４】
2011162587.tif 000005
【００６６】
＜（Ｂ）成分＞
カプリル酸メチルエステル（商品名：パステルＭ−０８、ライオン株式会社製）
ラウリン酸メチルエステル（商品名：パステルＭ−１２、ライオン株式会社製）
ラウリン酸２−エチルヘキシル（商品名：パステル２Ｈ−１２、ライオン株式会社製）
カプリル酸２−エチルヘキシル（商品名：パステル２Ｈ−０８、ライオン株式会社製）
【００６７】
＜その他＞
Ｎ−メチルピロリドン（試薬特級、関東化学株式会社製）
二塩基酸エステル（コハク酸ジメチル／グルタル酸ジメチル／アジピン酸ジメチル＝１５〜２５質量％／５５〜６５質量％／１０〜２５質量％の混合物、商品名：ＤＢＥ、インビスタジャパン株式会社製）
プロピレンカーボネート（商品名：プロピレンカーボネートＳ、ＢＡＳＦ社製）
Ｃ１８脂肪酸メチルエステル（商品名：パステルＭ―１８２、ライオン株式会社製）
フェニルキシリルエタン（石油化学系溶剤、商品名：ハイゾールＳＡＳ２９６、新日本石油株式会社製）
発色剤：感圧紙用発色剤ＣＶＬ（山本化成株式会社製）
なお、ライオン株式会社製のパステルＭ−０８、Ｍ−１２，２Ｈ−１２、２Ｈ−０８、Ｍ−１８２は、植物油であるパーム油、パーム核油又はヤシ油を原料としているため、脂肪酸部位は植物油由来であり、生分解性に優れる化合物である。
【００６８】
（評価方法）
＜溶解性＞
５０ｍＬ容量のねじ口のサンプル瓶に、１．５〜３ｇの間で０．３ｇ刻みでＣＶＬを採取したものを用意した。ＣＶＬを採取した各サンプル瓶に各例の溶剤組成物を加え全量を３０ｇに調整した。その後、サンプル瓶にスターラーチップを入れ、ホットスターラーにて加熱しながら撹拌した。内温が８０℃に達した後、溶液温度を８０〜９０℃内に保ちながら３０分間撹拌する方法で、発色剤溶液を調製した。その後、調製した発色剤溶液を４０℃の恒温槽に入れ、２４時間経過後の発色剤の溶解状態を目視にて観察した。観察の結果、析出物がなく完全に溶解している状態にある上限の発色剤濃度を以下に示す基準にて評価した。
◎：発色剤ＣＶＬの溶解度が１０質量％以上
○：発色剤ＣＶＬの溶解度が７質量％以上１０質量％未満
△：発色剤ＣＶＬの溶解度が５質量％以上７質量％未満
×：発色剤ＣＶＬの溶解度が５質量％未満
【００６９】
＜水溶性＞
各例の溶剤組成物１０ｇとイオン交換水１０ｇとを十分混合させた後、３０℃にて２４時間静置した。外観の確認と分離した溶剤の量を測定し、以下の基準にて評価した。
◎：外観が二層分離し水へ移行した溶剤の量が０．１ｇ以下である
○：外観が二層分離し水へ移行した溶剤の量が０．１ｇ超、１．０ｇ以下である
△：外観が二層分離せず溶剤と水との間に乳化層を形成するか、又は外観が二層分離しても水への移行量が１．０ｇ超である
×：水と均一溶液を形成し分離した溶剤量を測定できない
【００７０】
＜流動性＞
流動性を流動点にて評価した。流動点とは、溶剤組成物を冷却したときに流動状態を保持できる最低温度のことである。
流動点は、ＪＩＳ  Ｋ  ２２６９に示される方法にて測定した。具体的には、試料を平底試験官に入れ、かき混ぜずに一定速度で冷却し、２．５℃毎に試験管を傾けて流動するかどうかを調べ、試験管を水平に傾けて５秒間保っても流動しなくなったときの温度を求め、この温度よりも２．５℃高い温度をもって流動点とした。
流動点が２０℃以下であれば、溶剤組成物の流動性が良好であり、１５℃以下であれば特に良好である。
【００７１】
＜液安定性＞
１００ｍＬビーカーに、各例の溶剤組成物８０ｇを投入し、スターラーチップを入れ１０分間、２０℃で撹拌したものをサンプルとした。サンプルを−５℃の恒温槽と２５℃の恒温槽とで、それぞれ１週間保存した。保存後の溶剤組成物を目視で観察し、以下に示す基準にて評価した。
○：−５℃及び２５℃のいずれの保存温度でも均一な液体であった
△：−５℃では相分離したが、２５℃では均一な液体であった
×：２５℃の保存温度でも層分離していた
【００７２】
＜乳化性＞
各例のマイクロカプセル分散液について、コールターマルチサイザー（コールター社製）で、マイクロカプセルの粒径の分布巾を測定した。
【００７３】
＜発色性＞
各例で得られたマイクロカプセル分散液１００質量部（固形分）に小麦デンプン６０質量部、カルボキシ変性ＳＢＲラテックス１５質量部を加え、塗布液を調製した。４０ｇ／ｍ２の原紙上にカプセル塗布液を乾燥塗布量が４ｇ／ｍ２になるように塗布乾燥して感圧紙複写紙用の上用紙を作成した。
次に、市販品の感圧性複写紙（商品名：ＫＳコピーブライト青発色上用紙Ｎ−４０、王子製紙株式会社製）から下用紙（顕色剤塗布紙）を取り出した。以下、この下用紙を「市販の下用紙」という。
発色性の評価のために作成した上用紙と市販の下用紙とを重ね合わせ、室温下、ボールペンで加圧して印字した。印字した結果を下記基準に分類し、発色性を評価した。比較の市販品は感圧性複写紙（商品名：ＫＳコピーブライト青発色上用紙Ｎ−４０、王子製紙株式会社製）とした。評価結果を表３に示す。
○：比較の市販品と同等あるいは同等以上の青色である
△：比較の市販品より少し青色が薄いが実用上問題ない
×：比較の市販品より青色が薄く実用上問題である
【００７４】
＜発色汚れ＞
「＜発色性＞」で作成した上用紙と市販の下用紙とを重ね合わせ、その上に５００ｇ／５０ｃｍ２の荷重をかけ、５０℃、９０％ＲＨの条件下で２４時間放置し、下用紙の発色汚れ状態を以下の基準で評価した。評価結果を表３に示す。
○：全く汚れていない
△：少し汚れているが実用上問題ない
×：汚れていて実用上問題あり
【００７５】
＜印字応答性＞
「＜発色性＞」で作成した上用紙と市販の下用紙とを重ね合わせ、室温下、ボールペンで加圧して印字し、印字の応答性を以下の基準で評価した。評価結果を表３に示す。
○：比較の市販品と同等あるいは同等以上の応答性である
△：比較の市販品より応答が少し遅いが実用上問題ない
×：比較の市販品と比較して応答遅く発色が遅い
【００７６】
（実施例１〜４、比較例１〜１２）
表１に示す溶剤を１００質量％とする溶剤組成物について、溶解性及び水溶性を評価し、その結果を表１に示す。
【００７７】
【表１】
2011162587.tif 000006
【００７８】
表１に示す通り、（Ａ）成分からなる溶剤組成物（実施例１〜４）は、溶解性及び水溶性の評価が良好であり、流動性も良好であった。一方、（Ａ）成分以外の溶剤からなる溶剤組成物（比較例１〜１２）は、溶解性又は水溶性のいずれかの評価が劣るものであった。
【００７９】
（実施例５〜１０、比較例１３〜１５）
表２に示す組成に従い、各例の溶剤組成物を調製した。各例の溶剤組成物について、溶解性、水溶性、液安定性を評価し、その結果を表２に示す。
【００８０】
【表２】
2011162587.tif 000007
【００８１】
表２に示す通り、（Ａ）成分を含有する溶剤組成物（実施例５〜１０）は、溶解性、水溶性及び液安定性の評価が良好であった。一方、（Ａ）成分を含有しない溶剤組成物（比較例１３〜１５）は、溶解性、水溶性又は液安定性のいずれかの評価が劣るものであった。
【００８２】
（実施例１１〜１２、比較例１６）
表３に示す組成に従い、溶剤組成物を調製した。この溶剤組成物９３質量部に対し、ＣＶＬ７質量部を溶解して発色剤溶液を得た。この発色剤溶液にポリメチレンポリフェニルイソシアネート（商品名：ミリオネートＭＲ−５００、日本ポリウレタン工業株式会社製）４質量部とヘキサメチレンジイソシアネートの３量体（商品名：コロネートＨＸ、日本ポリウレタン工業株式会社製）８質量部、Ｎ−アミノエチルピペラジンのブチレンオキサイド１０モル付加物３質量部とを溶解し、疎水部とした。
ポリビニルアルコール１質量部とカルボキシメチルセルロース１質量部とを含む水溶液１００質量部に前記疎水部を添加し、ホモミキサーを用いて乳化し、平均粒径６．５μｍの乳化分散液を得た。得られた乳化分散液について、乳化性の評価を行い、その結果を表３に示す。
次いで、乳化分散液に、多価アミンであるジエチレントリアミン０．５質量部とヘキサメチレンジアミン０．１質量部を添加し室温下で１５分間攪拌した。乳化分散液を攪拌しながら８５℃まで加温し、３時間反応させた後、室温まで温度を下げカプセル化を終了してマイクロカプセル分散液を得た。得られたマイクロカプセル分散液について、発色性、発色汚れ、印字応答性を評価し、その結果を表３に示す。
【００８３】
【表３】
2011162587.tif 000008
【００８４】
表３に示す通り、（Ａ）成分を含有する溶剤組成物を用いたマイクロカプセル分散液（実施例１１〜１２）は、発色性、発色汚れ、印字応答性に優れるものであった。加えて、実施例１１〜１２は、乳化性の結果が１．８であり、均一な粒径に乳化分散されていた。一方、（Ａ）成分を含有しない溶剤組成物を用いたマイクロカプセル分散液（比較例１６）は、印字応答性が「×」、発色性及び発色汚れの評価が「△」であった。加えて、比較例１６は、乳化性の結果が２．５であり、粒径が不均一な乳化分散であった。
以上の結果から、本発明の溶剤組成物はＣＶＬの溶解性が良好であり、本発明の溶剤組成物を適用することで、均一なマイクロカプセルを形成し、良好な品質のマイクロカプセル分散液が得られることが判った。